(57)【要約】【課題】  時計ケースを自由に回転可能とするとともに、小径化を図った腕時計を提供する。【解決手段】  ムーブメント１７が収納される時計ケース１３の裏蓋３２に回転軸４０を形成し、この回転軸４０を、時計ケース１３と立体的に重ねて配置され、時計バンドが取り付けられる台座１４の受け孔５２に、回転可能に嵌合し、この受け孔５２と回転軸４０との間に、時計ケース１３を所定回転位置で位置決めする位置決め手段４６、５２Ｂを備えた。【選択図】      図２
2006275781.tif 000002
【特許請求の範囲】
【請求項１】
ムーブメントが収納される時計ケースの底面に回転軸を形成し、この回転軸を、前記時計ケースと立体的に重ねて配置され、時計バンドが取り付けられる台座の受け孔に、回転可能に嵌合し、この受け孔と前記回転軸との間に、前記時計ケースを所定回転位置で位置決めする位置決め手段を備えたことを特徴とする腕時計。
【請求項２】
前記位置決め手段は、前記回転軸に設けられ、弾性部材により付勢された突出部材と、前記受け孔に形成され、前記突出部材と係合する係合溝とを備えることを特徴とする請求項１に記載の腕時計。
【請求項３】
前記係合溝は、前記受け孔に略等角度間隔で形成されたことを特徴とする請求項２に記載の腕時計。
【請求項４】
前記時計ケースの底面に、前記台座に当接する環状の段部を一体に形成したことを特徴とする請求項１乃至３のいずれかに記載の腕時計。
【発明の詳細な説明】
【技術分野】
【０００１】
本発明は、時計ケースが台座に回転可能に支持されている腕時計に関する。
【背景技術】
【０００２】
一般に、ムーブメントが収納される時計ケースと、この時計ケースを支持する台座とを備え、この台座に時計ケースが周方向に回転可能に取り付けられた腕時計が知られている（例えば、特許文献１参照）。この種の腕時計では、時計ケースの外周を覆うように台座が配置され、この台座に形成された溝に沿って、当該時計ケースを回転可能に構成されている。
【特許文献１】特開平０８−２７１６５５号公報
【発明の開示】
【発明が解決しようとする課題】
【０００３】
しかし、従来の構成では、時計ケースの外側に台座を配置する構成としているため、この台座の外径が腕時計の外径となり、当該腕時計の外径が大きくなるという問題があった。また、時計ケースを回転させる際に、この時計ケースに設けられた竜頭と台座とが接触してしまうため、この竜頭が台座に接触しない範囲でしか、当該時計ケースを回転できないといった問題があった。
そこで、本発明は、上述した事情に鑑みてなされたものであり、時計ケースを自由に回転可能とするとともに、小径化を図った腕時計を提供することを目的とする。
【課題を解決するための手段】
【０００４】
上述課題を解決するため、本発明は、ムーブメントが収納される時計ケースの底面に回転軸を形成し、この回転軸を、時計ケースと立体的に重ねて配置され、時計バンドが取り付けられる台座の受け孔に、回転可能に嵌合し、この受け孔と回転軸との間に、時計ケースを所定回転位置で位置決めする位置決め手段を備えたことを特徴とする。この構成によれば、台座は、時計ケースの底面に形成された回転軸を支持するため、時計ケースを回転させる際に、この時計ケースの回転軌跡上に台座が介在することはない。このため、この台座が時計ケースの回転を阻害しないことにより、当該時計ケースを３６０度にわたって自由に回転させることができる。
また、この構成によれば、従来のように、時計ケースの外周を台座で支持する必要がないため、時計ケースに比べて台座を小さく形成することができる。このため、この時計ケースの外径が腕時計の外径となることにより、当該腕時計の外径の小径化を図ることができる。これに加えて、台座が時計ケースの外周を支持しないことにより、この時計ケースは、円形状以外の形状とすることが可能となるため、当該時計ケースのデザインの幅を広げることができ、腕時計の美観の向上を図ることができる。
【０００５】
上記構成において、位置決め手段は、回転軸に設けられ、弾性部材により付勢された突出部材と、受け孔に形成され、突出部材と係合する係合溝とを備える構成としても良い。この構成によれば、簡単な構成で、時計ケースを確実に位置決めできるため、例えば、作業時に手が離せない場合であっても、予め、作業時の姿勢で時刻を確認し易い角度に、この時計ケースの角度を合わせておくことにより、作業を行いながらでも腕を曲げることなく、簡単に時刻確認を行うことができる。従って、作業効率の低下を防止できるとともに、作業時に無理に時計を見ようとして作業ミスが生じることを防止することができる。
【０００６】
この場合において、係合溝は、受け孔に略等角度間隔で形成された構成としても良い。この構成によれば、時計ケースをユーザが所望する角度に位置決めすることができる。また、時計ケースの底面に、台座に当接する環状の段部を形成した構成としても良い。この構成によれば、段部と台座とを当接させることにより、この台座は時計ケースの底面に当接しない。このため、時計ケースと台座との接触面積を小さくすることができ、時計ケースの回転時における摩擦抵抗が減少するため、時計ケースをスムーズに回転させることができる。
【発明の効果】
【０００７】
本発明は、ムーブメントが収納される時計ケースの底面に回転軸を形成し、この回転軸を、時計ケースと立体的に重ねて配置され、時計バンドが取り付けられる台座の受け孔に、回転可能に嵌合し、この受け孔と回転軸との間に、時計ケースを所定回転位置で位置決めする位置決め手段を備えたため、時計ケースを自由に回転可能とするとともに、腕時計の小径化を図ることができる。
【発明を実施するための最良の形態】
【０００８】
以下、図面を参照して本発明の実施形態を詳述する。
図１は、本発明の一実施形態に係る腕時計１０の外観構成を示す図であり、図２は、腕時計１０のＡ−Ａ断面図である。この腕時計１０は、時計本体１１と、この時計本体１１に連結された時計バンド１２とを備えて構成されている。なお、本実施形態では、腕時計１０の例示として、時針により時刻を表示するアナログ時計を例示するが、ＬＥＤ（Light Emitting Diode）あるいは有機ＥＬ（Electro Luminescent）によって時刻をデジタル表示するデジタル時計であっても良い。
【０００９】
時計本体１１は、図２に示すように、時計ケース１３と、この時計ケース１３を支持する台座１４と、これら時計ケース１３及び台座１４の裏面側に配置される押さえ板１５とを備える。時計ケース１３は、カバーガラス３０が配置される胴ケース３１及び裏蓋３２から構成され、その内部に、文字板１６及びムーブメント１７等を密封状態で収容している。この場合、胴ケース３１と裏蓋３２との間には、密封性や防水性を向上されるためのパッキン３３が配置される。
【００１０】
ムーブメント１７は、筒車から延出する針取付体２０、二番車から延出する針取付体２１、及び、四番車から延出する針取付体２２が、文字板１６の中央穴１９を貫通し、当該文字板１６の上方に延出する。各針取付体２０〜２２には、それぞれ時針２３、分針２４、秒針２５が取り付けられ、これら時刻表示針２３〜２５によって時刻が表示される。
このムーブメント１７には、水晶振動子を時間調速に用いてステッピングモータ等により上記時刻表示針２３〜２５を回転駆動するクオーツ式、或いは、ゼンマイを巻き上げてそのゼンマイに蓄えられた力により上記時刻表示針２３〜２５を回転駆動する機械式等が適用され、また、暦（年、月、日等）を表示する暦表示機構を備えたものでもよい。また、時刻表示針として、時針２３、分針２４、秒針２５を備える場合に限らず、時針２３及び分針２４だけとしてもよい。
また、ムーブメント１７は、このムーブメント１７から延出する巻真１７Ａを有し、この巻真１７Ａは、胴ケース３１の３時位置に形成された貫通孔１３Ａに通され、胴ケース３１を間に挟んで外側から竜頭３４が連結される。この竜頭３４の軸３４Ａには、パッキン３５が設けられ、このパッキン３５により、軸３４Ａと、貫通孔１３Ａに挿通されたパイプ部材１３Ｂとの間の隙間が閉塞され、ゴミや水分等の侵入が防止される。
【００１１】
次に、時計ケース１３と、この時計ケース１３を回転可能に支持する台座１４及び押さえ板１５の構成について説明する。時計ケース１３の裏蓋（底面）３２には、図３に示すように、この時計ケース１３の裏面側に突出する回転軸４０と、この回転軸４０の周囲に配置された環状の段部４１とが形成されている。本構成では、裏蓋３２、回転軸４０及び段部４１は一体に成形されており、組み立て作業の容易化が図られている。回転軸４０の端面４０Ａには、台座１４及び押さえ板１５を取り付けるためのねじ穴４２が設けられている。また、回転軸４０の側面４０Ｂには、図２に示すように、この回転軸４０の半径方向に、ばね穴４４が形成され、このばね穴４４に、コイルばね（弾性部材）４５と、このコイルばね４５の付勢力によって、当該ばね穴４４から突出するクリックボール（突出部材）４６とが配置されている。
本構成では、時計ケース１３は、この時計ケース１３の裏蓋３２に形成された回転軸４０が台座１４によって支持されている。従来のように、時計ケースの外周を支持する場合には、この時計ケースは円形になるが、本構成では、時計ケース１３の形状に制約が無くなるため、自由なデザインをすることができる。この場合、時計ケース１３と台座１４とを立体的に重ねて配置することにより、従来のものよりも腕時計１０の厚みが増すおそれがあるが、回転軸４０及び台座１４を極力薄く形成することによって、意匠性に優れた腕時計の実現を図っている。
【００１２】
台座１４は、図３に示すように、略円筒形状に形成された台座本体５０と、この台座本体５０の両端に一体成形されたバンド連結部５１とを備える。このバンド連結部５１には、当該バンド連結部５１に設けられた貫通孔５１Ａに連結ピン（図示せず）が挿通され、この連結ピンを介して時計バンド１２（図１参照）が連結される。台座本体５０は、上記回転軸４０が回転可能に嵌合される受け孔５２と、この受け孔５２よりも拡径し、上記押さえ板１５が配置される拡径部５３とが形成されている。
台座１４は、この台座の長手方向の長さＬ１を、時計ケース１３の短手方向の長さＬ２と略同一に形成されている。これによれば、この台座１４上で時計ケースを回転させた場合であっても、台座１４が時計ケース１３の外延から突出しないため、この時計ケース１３の外径が、そのまま腕時計１０の外径となり、この腕時計１０の小径化を図ることができる。
【００１３】
受け孔５２は、上記回転軸４０と略同一径に形成され、この回転軸４０の側面４０Ｂと摺動可能に形成される摺動面５２Ａと、この摺動面５２Ａに形成され、上記クリックボール４６と係合する係合溝５２Ｂとを備える。本構成では、これらクリックボール４６及び係合溝５２Ｂが位置決め手段を構成する。この係合溝５２Ｂは、摺動面５２Ａに略等角度（本構成では４５度）間隔で形成されており、この係合溝５２Ｂにクリックボール４６が係合することによって、回転軸４０に連結される時計ケース１３の位置決めが実行される。また、拡径部５３には、環状溝５４が形成され、この環状溝５４にパッキン５５（図２参照）が配置されている。このパッキン５５は、台座１４のがたつきを防止するとともに、この台座１４を回転させる際に、当該台座１４の摺動性の向上を図るものである。また、押さえ板１５は、拡径部５３に係合するように円形状に形成され、止めねじ６２が貫通する貫通孔６１が設けられている。
【００１４】
本構成では、時計ケース１３の回転軸４０を台座１４の受け孔５２に嵌め込み、この台座１４の拡径部５３に押さえ板１５を配置して、止めねじ６２によって、この押さえ板１５を時計ケース１３に固定する。台座１４は、図２に示すように、時計ケース１３に立体的に重ねて配置されており、台座１４は、時計ケース１３の裏蓋３２に形成された段部４１と、押さえ板１５との間に狭持されている。この場合、時計ケース１３の段部４１は、裏蓋３２よりも突出して、この裏蓋３２と、台座１４の当該時計ケース１３側の面１４Ａとが接触しないように構成されている。このため、時計ケース１３と台座１４との接触面積を小さくすることにより、回転時の摩擦抵抗が減少し、時計ケース１３をスムーズに回転させることができる。更に、裏蓋３２は、上記段部４１により、台座１３がこの裏蓋３２に接触しないため、この裏蓋３２が傷つくことが防止される。
【００１５】
次に、図４を参照して、回転動作について説明する。
通常状態では、回転軸４０のクリックボール４６は、受け孔５２に形成された、いずれかの係合溝５２Ｂと係合して時計ケース１３の位置決めを行っている。ここで、時計ケース１３を回転させると、クリックボール４６は、受け孔５２の摺動面５２Ａに当接するため、コイルばね４５の付勢力に抗してばね穴４４の内部に収容される。この状態で、時計ケースを更に回転させた場合、ばね穴４４が次の係合溝５２Ｂと対向する位置に配置される。このため、クリックボール４６は、コイルばね４５の付勢力により、ばね穴４４から突出して、当該次の係合溝５２Ｂと係合することによって、時計ケース１３の位置決めがなされる。
【００１６】
本実施形態では、時計ケース１３の裏蓋３２に回転軸４０を形成し、この回転軸４０を、時計ケース１３と立体的に重ねて配置される台座１４の受け孔５２に、回転可能に嵌合したため、台座１４が時計ケース１３の底面に形成された回転軸４０を支持することにより、時計ケース１３を回転させる際に、当該時計ケース１３の回転軌跡上に台座１４が介在することはない。このため、この台座１４が時計ケース１３の回転を阻害しないことにより、当該時計ケース１３を３６０度に渡って自由に回転させることができる。
また、本実施形態では、台座１４を時計ケース１３と台座１４とを立体的に重ねて配置し、時計ケース１３の回転軸４０を台座１４の受け孔５２に回転可能に嵌合したため、従来のように、時計ケースの外周を台座で支持する必要がない。これによれば、時計ケース１３に比べて台座１４を小さく形成することができるため、この時計ケース１３の外径が腕時計１０の外径となるため、当該腕時計１０の外径の小径化を図ることができる。さらに、台座１４が時計ケース１３の外周を支持しないことにより、この時計ケース１３は、円形状以外の形状とすることが可能となるため、当該時計ケース１３のデザインの幅を広くすることができ、腕時計１０の美観の向上を図ることができる。
【００１７】
さらに、本実施形態では、受け孔５２と回転軸４０との間に、時計ケース１３を所定回転位置で位置決めする位置決め手段４６、５２Ｂを備えているため、これら位置決め手段４６、５２Ｂによって、この時計ケース１３を所定回転位置で仮固定することができる。このため、例えば、作業時に手が離せない場合であっても、予め、作業時の姿勢で時刻を確認し易い角度に、この時計ケース１３の角度を合わせておくことにより、作業を行いながら腕を曲げることなく、簡単に時刻確認を行うことができる。従って、作業効率を低下することが防止できるとともに、作業時に無理に時計を見ようとして作業ミスが生じることを防止することができる。
【００１８】
また、本実施形態では、位置決め手段は、回転軸４０に設けられ、コイルばね４５により付勢されたクリックボール４６と、受け孔５２に形成され、クリックボール４６と係合する係合溝５２Ｂとを備えるため、簡単な構成で、時計ケース１３を確実に位置決めすることができる。
【００１９】
また、本実施形態では、係合溝５２Ｂは、前記受け孔５２略等角度間隔で形成されているため、時計ケース１３をユーザが所望する角度に位置決めすることができる。
また、本実施形態では、時計ケース１３の裏蓋３２に、台座１４に当接する環状の段部４１を形成したため、この段部４１と台座１４とを当接させることにより、この台座１４は時計ケース１３の裏蓋３２に当接しない。このため、時計ケース１３と台座１４との接触面積を小さくすることができ、時計ケース１３の回転時における摩擦抵抗が減少するため、時計ケース１３をスムーズに回転させることができる。更に、時計ケース１３の裏蓋３２が傷つくことが防止される。
【００２０】
上述した実施形態は、あくまで本発明の一態様に過ぎず、本発明の範囲内で任意に変形が可能である。例えば、上述の実施形態では、時計ケース１３は、裏蓋３２を備える構成としたが、これに限るものではなく、裏蓋を備えない（いわゆるワンピース型）時計ケースの底面に回転軸を設けた構成にも適用することができる。
また、本実施形態では、位置決め手段は、時計ケース１３の回転軸４０に設けられ、コイルばね４５により付勢されたクリックボール４６と、台座１４の受け孔５２に形成され、クリックボール４６と係合する係合溝５２Ｂとを備える構成としていたが、これに限るものではなく、回転軸４０の側面４０Ｂと受け孔５２の摺動面５２Ａとの間に位置決め部材（例えば、ゴムシート）を配置する構成としても良い。この構成では、ゴムシートの摩擦抵抗によって、時計ケース１３が自由に回転することが防止されるとともに、この摩擦抵抗に抗して時計ケース１３を回転させた場合には、時計ケース１３の回転させた位置で固定することができる。この場合、上記クリックボール４６と係合溝５２Ｂとを備えるものに比べて、時計ケース１３の位置決め角度が設定されていないため、ユーザが所望する角度で、上記時計ケース１３の位置決めを行うことができる。
【００２１】
また、上記位置決め手段として、台座１４の拡径部５３に形成された環状溝５４に配置されるパッキン５５と、このパッキン５５が当接するとともに、上記回転軸４０に連結される押さえ板１５とを備える構成としても良い。この構成では、パッキン５５は位置決め部材として機能する。この構成によれば、パッキン５５は、時計ケース１３と台座１４とを立体的に重ねて配置する方向に、押さえ板１５を付勢しているため、これらパッキン５５及び押さえ板１５の摩擦抵抗により、時計ケース１３が自由に回転することが防止されるとともに、この摩擦抵抗に抗して時計ケース１３を回転させた場合には、時計ケース１３の回転させた位置で固定することができる。この場合、上記クリックボール４６と係合溝５２Ｂとを備えるものに比べて、時計ケース１３の位置決め角度が設定されていないため、ユーザが所望する角度で、上記時計ケース１３の位置決めを行うことができる。
また、上記パッキン（位置決め部材）は、時計ケース１３が台座１４上で回転する際に、回転抵抗となるものであればよく、台座１４の時計ケース１３側の面１４Ａに当接する当該時計ケース１３の段部４１の配置される構成としても良い。また、位置決め部材は、パッキンだけでなく、板ばねであっても良い。
【図面の簡単な説明】
【００２２】
【図１】本発明の一実施形態に係る腕時計の外観を示す図である。
【図２】図１に示す腕時計のＡ−Ａ断面図である。
【図３】時計ケース及び台座の構成を示す図である。
【図４】時計ケースの回転動作を説明するための図である。
【符号の説明】
【００２３】
１０…腕時計、１１…時計本体、１２…時計バンド、１３…時計ケース、１４…台座、１５…押さえ板、１６…文字盤、１７…ムーブメント、２３…時針、２４…分針、２５…秒針、３０…カバーガラス、３１…胴ケース、３２…裏蓋（底面）、４０…回転軸、４１…段部、４４…ばね穴、４５…コイルばね（弾性部材）、４６…クリックボール（位置決め手段、突出部材）、５２…受け孔、５２Ｂ…係合溝（位置決め手段）。
【図１】
2006275781.tif 000003
【図２】
2006275781.tif 000004
【図３】
2006275781.tif 000005
【図４】
2006275781.tif 000006